(57)【要約】【課題】ホースの水を浴室に排水することができて、脱衣室の空間を狭くすることなくホースを収納することができる収納部を提供する。【解決手段】浴室１と脱衣室２の間の壁３に収納部４を埋設し、該収納部４の脱衣室２側に、洗濯機２０のホースを出し入れする脱衣室側開口部５を設け、前記収納部４に、該収納部４内の水を浴室１に排水する排水部６を設ける。【選択図】図１
2010253064.tif 000002
【特許請求の範囲】
【請求項１】
浴室と脱衣室の間の壁に収納部を埋設し、該収納部の脱衣室側に、洗濯機用のホースを出し入れする脱衣室側開口部を設け、前記収納部に、該収納部内の水を浴室に排水する排水部を設けたことを特徴とする洗濯機用のホース収納部。
【請求項２】
前記収納部の浴室側に、洗濯機のホースを出し入れする浴室側開口部を設け、該浴室側開口部に開閉自在な扉を設けたことを特徴とする請求項１記載の洗濯機用のホース収納部。
【発明の詳細な説明】
【技術分野】
【０００１】
本発明は、洗濯機用のホース収納部に関するものである。
【背景技術】
【０００２】
従来から、風呂の残り湯を吸水するときに使う吸水ホース１２は、図４（ａ）に示すように、脱衣室に設置された洗濯機２０の側部に設けられたホース掛け具に、吸水ホース１２を巻き取った状態で引っ掛けて収納されている。（特許文献１記載。）
しかし、吸水ホース１２で風呂の残り湯を吸い上げた後、吸水ホース１２を巻き取った状態でホース掛け具に引っ掛ける際に、吸水ホース１２内の残り湯が誤ってこぼれ、脱衣室２の床などを濡らしてしまうという問題があった。また、吸水ホース１２は通常３〜７ｍあり、吸水ホース１２を数回巻き取ってホース掛け具に引っ掛けて収納すると、洗濯機２０を設置した脱衣室２の空間をさらに狭くしてしまうという問題があった。
【０００３】
そこで、特許文献２記載の洗濯機２０が提案されている。この洗濯機２０は、図４（ｂ）に示すように、洗濯機２０本体内に吸水ホース１２を収納できる収納部４´を設け、収納部４´内に、洗濯機２０の排水管に繋がる排水口（図示せず）を設けたものである。しかし、吸水ホース１２を収納するための収納部４´を洗濯機２０内に設けたことで、洗濯機２０が大きくなり、結局は洗濯機２０を設置する脱衣室２が狭くなってしまうという問題は解決されていない。また、排水設備がない場所に、洗濯機２０を設置しようとする場合、洗濯機２０の排水ホース１３を浴室１等、排水設備のある場所まで伸ばさなければ、収納部４´内に溜まった水や、洗濯排水を排水することができないという問題があった。
【先行技術文献】
【特許文献】
【０００４】
【特許文献１】実用新案登録第３０２３３４０号公報
【特許文献２】特開平９−２４８４００号公報
【発明の概要】
【発明が解決しようとする課題】
【０００５】
本発明の洗濯機用のホース収納部は、ホースの水を浴室に排水することができて、脱衣室の空間を狭くすることなくホースを収納することができる収納部を設けることを課題とする。
【課題を解決するための手段】
【０００６】
上記課題を解決するため、本発明の洗濯機２０用のホース収納部４は、浴室１と脱衣室２の間の壁３に収納部４を埋設し、該収納部４の脱衣室２側に、洗濯機２０のホースを出し入れする脱衣室側開口部５を設け、前記収納部４に、該収納部４内の水を浴室１に排水する排水部６を設けたことを特徴とする。
【０００７】
上記構成とすることで、ホース（吸水ホース１２、もしくは排水ホース１３）から収納部４に流れた水を、収納部４に設けた排水部６から浴室１に排水することができる。また、浴室１と脱衣室２の間の壁３の空間を利用して収納部４を設けることで、脱衣室２の空間を狭くすることなくホース（吸水ホース１２、もしくは排水ホース１３）を収納することができる。
【０００８】
また、前記収納部４の浴室１側に、洗濯機２０のホースを出し入れする浴室側開口部１０を設け、該浴室側開口部１０に開閉自在な扉９を設けることも好ましい。このような構成とすることで、洗濯機２０の吸水ホース１２は、浴室側開口部１０を通じてのみ収納部４に出し入れされるので、吸水ホース１２内の残り湯がこぼれて脱衣室２の床を濡らしてしまうことを確実に防止することができる。
【発明の効果】
【０００９】
本発明は、ホースの水を浴室に排水することができて、脱衣室内の空間を狭くすることなくホースを収納することができる収納部を設けることができるという効果がある。
【００１０】
また、収納部の浴室側に開口部を設けたことで、吸水ホース内の残り湯がこぼれて脱衣室の床を濡らしてしまうことを確実に防止することができる。
【図面の簡単な説明】
【００１１】
【図１】（ａ）は本発明の実施形態の収納部の実施形態１の斜視図であり、（ｂ）は図１（ａ）のＸ−Ｘ線矢視断面図である。
【図２】本発明の実施形態の収納部の実施形態２の斜視図である。
【図３】（ａ）は本発明の実施形態の収納部の実施形態３の斜視図であり、（ｂ）は同上の収納部の浴室側背板部を脱衣室側から見た斜視図であり、（ｃ）は図３（ａ）のＹ−Ｙ線矢視断面図である。
【図４】（ａ）（ｂ）は従来のホース収納部の斜視図である。
【発明を実施するための形態】
【００１２】
以下、本発明を添付図面に示す実施形態に基づいて説明する。
【００１３】
図１（ａ）は、本発明の実施形態１の洗濯機２０用のホース収納部４を示したものである。ここで、洗濯機２０のホースとして、風呂の残り湯を吸水する吸水ホース１２を収納する場合の収納部４について示している。
【００１４】
実施形態１の洗濯機２０用のホース収納部４は、図１（ｂ）に示すように、浴室１と脱衣室２の間の壁３に埋設されており、収納部４には、脱衣室側開口部５と、排水部６が設けられている。ここで、収納部４は、横長の略直方体形状の箱体であり、浴室１側の背板部４１と、脱衣室２側の前板部４２、天板部４３、底板部４４、側板部４５、４５から構成されている。
【００１５】
実施形態１では、壁３は、浴室ユニットの壁パネル３１と間仕切り壁３２と脱衣室２側の壁材３３からなっている。ここで、収納部４は、浴室１側の背板部４１が浴室ユニットの壁パネル３１より浴室１側にわずかに突出し、脱衣室２側の前板部４２が脱衣室２側の壁材３３より脱衣室２側にわずかに突出するように埋設されている。このようにして、浴室１と脱衣室２の間の壁３の厚み方向の全幅を収納空間として有効利用して収納部４を設けることで、脱衣室２内の空間を狭くすることなく吸水ホース１２を収納することができる。
【００１６】
前記脱衣室側開口部５は、収納部４の脱衣室２側の前板部４２の上部に設けられている。また、該脱衣室側開口部５は、洗濯機２０の吸水ホース１２を出し入れすることができる程度の大きさで、脱衣室２側から見て略長方形状に開口されている。また、収納部４の脱衣室２側の前板部４２の下部には、脱衣室２側から吸水ホース１２が出し入れしやすいように、上方ほど脱衣室２側に位置するよう若干傾斜してホース受け部７が形成されている。また、収納部４の底板４４の内壁面４４１は、浴室１側に近づくほど下方に位置するよう傾斜しており、収納部４内の水が、収納部４の浴室１側に集中するようになっている。
【００１７】
前記排水部６は、収納部４の底板４４と、収納部４の浴室１側の背板部４１とが交わる部分（浴室１側の背板部４１の最下部）に、複数（図では３つ）設けてある。このようにすることで、吸水ホース１２から収納部４に流れた水を、収納部４に設けた排水部６から浴室１に排水することができる。ここで、背板部４１の排水部６の上側部分から浴室１側に向けて、断面逆Ｌ字状のカバー部４１３が突設されている。このカバー部４１３は、排水部６を浴室１側から隠すものであり、排水部６を通じて収納部４に浴室１側からシャワー等の水が入ることを防止することができる。また、脱衣室２側から排水部６を通じて浴室１内部が見えることや、浴室１側から収納部４の内部が見えることを防止することができる。
【００１８】
また、収納部４は、収納部４の底板部４４が、吸水ホース１２を洗濯機２０に接続する接続部［図４（ａ）中の符号１４参照。］よりも低い位置に位置するよう形成されており、吸水ホース１２内の残り湯が、洗濯機２０に流れず、収納部４内に流れるようにしている。
【００１９】
実施形態１では、壁３は、浴室ユニットの壁パネル３１と間仕切り壁３２と脱衣室２側の壁材３３からなっているが、浴室１側の壁材と間仕切り壁３２と脱衣室２側の壁材３３からなっているような場合であっても構わない。また、実施形態１では、ホース受け部７は上方ほど脱衣室２側に位置するよう若干傾斜して設けたが、ホース受け部７と脱衣室２側の壁材３３が略面一になるように設けても良い。そうすれば、さらに脱衣室２内の空間を狭くすることなく吸水ホース１２を収納することができる。
【００２０】
また、実施形態１では、収納部４を、浴室ユニットの壁パネル３１と浴室１側の背板部４１が略面一になるように埋設したが、背板部４１が、さらに浴室１側に位置するように埋設しても良い。また、背板部４１が、浴室ユニットの壁パネル３１よりも内側（壁３の内部）に位置するように埋設しても良いが、その場合、収納部４の排水部６と浴室１内を連通させる排水経路（図示せず）を壁３の内部に新たに設ける必要がある。
【００２１】
また、収納部４内の排水部６の位置については、排水部６が浴室１に連通していて、収納部４内の水が排水部６に集中するようにしていれば、図１（ｂ）の位置でなくても構わない。
【００２２】
次に、図２には、本発明の実施形態２の洗濯のホース収納部４が記載されている。実施形態１と同様の部分については、同じ符号を付け、説明は省略する。実施形態２では、洗濯機２０のホースとして、洗濯排水を排水設備に流す排水ホース１３を収納する場合の収納部４について示している。この場合、図２に示すように、収納部４を壁３の最下部近傍に設けることが好ましい。
【００２３】
このようにすると、脱衣室２に洗濯機２０の排水を流す排水設備がなくても、排水用ホース１３をホース収納部４に収納しておけば、浴室１に排水することができ、洗濯の度に浴室１等の排水設備のある部分まで排水ホース１３を伸ばす必要も片付ける必要もない。また、排水ホース１３のせいで浴室１の扉を閉めることができないといったこともなくなる。
【００２４】
ここで、収納部４の底板部４４の位置が、洗濯機２０に接続する排水ホース１３の接続部［図４（ｂ）中の符号１５参照。］よりも低く、浴室１の底面１１よりも高いことが望ましい。そうすれば、排水ホース１３内の水は全て収納部４に流れ、また、収納部４内の水は全て浴室１に流れる。
【００２５】
ここで、実施形態２の洗濯機２０用のホース収納部４に、吸水ホース１２を一緒に収納しても良いし、実施形態１の吸水ホース１２用のホース収納部４を壁３に別途設けても良い。その場合、ホース（吸水ホース１２と排水ホース１３）から収納部４に流れた水を、収納部４に設けた排水部６から浴室１に排水することができる。また、脱衣室２の空間を狭くすることなくホース（吸水ホース１２と排水ホース１３）を収納することができる。
【００２６】
次に、図３（ａ）には、本発明の実施形態３の洗濯機２０用のホース収納部４が記載されている。なお、実施形態１と同様の部分には、同じ符号を付け、説明は省略する。実施形態３の収納部４は、図３（ｂ）に示すように、収納部４の浴室１側の背板部４１に、洗濯機２０のホースを出し入れすることができる大きさの浴室側開口部１０を設けている。浴室側開口部１０は、上記背板部４１の左右両端部分と上部部分を残すように開口させたものであり、浴室１側から見て長方形状となっている。
【００２７】
上記背板部４１の内側壁面４１１の左右両端の下端近傍には、その内側にヒンジ部８を設け、浴室側開口部１０にヒンジ部８を介して浴室１側に倒れるように回転する開閉自在な扉９を設けている。ここで、浴室側開口部１０の下端（扉９の下方）には隙間が設けてあり、この隙間が、収納部４内の水を浴室１に流す排水部６となる。
【００２８】
また、図３（ｃ）に示すように、収納部４の天板４３には、扉９を閉じたとき（扉９が浴室パネル３１に平行な状態）に、扉９の上端の脱衣室側部分９１が当たるところに、戸当たり部４６を設けている。また、扉９の上端の浴室側部分９２には、扉９を浴室１側に開けるための引っ掛け部９３が設けてある。引っ掛け部９３は、断面逆Ｌ字状であり、浴室パネル３１よりも、浴室１側に位置しないように設けられている。
【００２９】
実施形態３では、洗濯機２０用のホース収納部４を、上記構成とすることで、洗濯機２０の吸水ホース１２は、浴室側開口部１０を通じてのみ収納部４に出し入れされるので、吸水ホース１２内の残り湯がこぼれて脱衣室２の床を濡らしてしまうことを確実に防止することができる。
【００３０】
ここで、実施形態３のホース収納部４に、排水ホース１３を一緒に収納しても構わないが、その場合、実施形態３のホース収納部４を壁３の最下部近傍に設ける必要がある。
【００３１】
実施形態３では、ヒンジ部８を設けて、浴室１側に開閉自在な扉９を設けたが、浴室側開口部１０を開閉自在にすることができれば、他の方法であっても良い。また、ヒンジ部８にばね部材を用いる等して、扉９が通常は閉じた状態になるようにすれば、脱衣室２側から浴室側開口部１０を通じて浴室１内部が見えることや、浴室１側から収納部４内のホースが見えることを防止することができる。また、排水部６を覆う部分（図示せず）を設けることも好ましい。
【００３２】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３３】
１     浴室
２     脱衣室
３     壁
４     収納部
５     脱衣室側開口部
６     排水部
７      ホース受け
８      ヒンジ部
９      扉
１０    浴室側開口部
２０    洗濯機
【図１】
2010253064.tif 000003
【図２】
2010253064.tif 000004
【図３】
2010253064.tif 000005
【図４】
2010253064.tif 000006